(57)【特許請求の範囲】
【請求項１】
一側から他側に穿孔成形部、切断圧縮部、圧縮成形部、抽出部が順次に備えられる上・下型部を含むプレスを設け、前記上型部を繰り返して昇降させるステップ１００と、
前記上型部が上昇される度に前記下型部の上部に、一側から他側に１ピッチずつトレイ板を供給させ、前記穿孔成形部を通じてトレイ板に素材貫通固定部を連続して成形する素材貫通固定部を成形するステップ２００と、
前記上型部が上昇される度に前方から前記素材貫通固定部の上部に素材板を投入させ、前記切断圧縮部を通じて素材板を繰り返して切断し、それぞれの前記素材貫通固定部の上部に切断された素材を連続して投入し、投入された素材を圧縮して前記素材を素材貫通固定部に固定する素材を投入して固定するステップ３００と、
前記トレイ板に固定されて移動される素材を前記圧縮成形部を通じて圧縮して成形する素材を成形するステップ４００と、
前記トレイ板に固定され、成形が完了された素材を前記抽出部を通じて切断して分離し、下部に抽出する素材を抽出するステップ５００と、を含む
ことを特徴とする異種の素材の鍛造成形方法。
【請求項２】
前記素材貫通固定部は、
中央孔と、
前記中央孔の前後方に素材が貫通して固定されるように形成される１つ以上の貫通固定孔と、を含む
請求項１に記載の異種の素材の鍛造成形方法。
【請求項３】
前記中央孔の前後方には、左右方向に長く形成されてトレイの変形を防止する変形防止孔が更に形成される
請求項２に記載の異種の素材の鍛造成形方法。
【請求項４】
前記素材を投入して固定するステップ３００は、
他側に移動されて停止された素材貫通固定部の上部に素材板の後方が位置された状態で、前記上型部の下降を通じて素材の後方が切断され、前記中央孔の上部の周りに切断された素材を安着させる過程と、
素材を安着させる過程を進行した後に素材を他側に１ピッチ移動させた後、前記上型部の下降を通じて素材の前後方を圧縮させ、素材の前後方を前記貫通固定孔に貫通して固定させる過程と、を含む
請求項２に記載の異種の素材の鍛造成形方法。
【請求項５】
前記素材を成形するステップ４００は、
前記素材の前後方と上下部を圧縮して成形する過程と、
前記素材の前後方と上下部を圧縮して成形した後、前記トレイ板の素材貫通固定部の間を連結する連結板を切断して排出する過程と、
前後方と上下部が圧縮して成形された素材の両側部を圧縮して成形する過程と、を含む
請求項２に記載の異種の素材の鍛造成形方法。
【請求項６】
前記素材は金属で構成され、
前記トレイ板は素材より展延性が少ない金属で構成される
請求項１ないし５のいずれかに記載の異種の素材の鍛造成形方法。
【請求項７】
前記素材はアルミニウムまたは銅で構成され、
前記トレイ板は鉄やステンレスで構成される
請求項６に記載の異種の素材の鍛造成形方法。
【請求項８】
上・下型部１１、１２を有するプレス１と、
前記下型部１２の上部に１ピッチずつトレイ板９を一側から他側に供給するトレイ板供給手段２と、
前記上・下型部１１，１２の一側に備えられ、前記トレイ板９に素材貫通固定部９１を連続して成形する穿孔成形部３と、
前記プレス１の前方に備えられ、前記素材貫通固定部９１の上部に素材板１０を１ピッチずつ供給する素材板供給手段４と、
前記穿孔成形部３の他側に配置されるように前記上・下型部１１、１２に備えられ、前記素材貫通固定部９１の上部に投入される素材板１０を繰り返して切断し、切断された素材２０を素材貫通固定部９１に圧縮して固定させる切断圧縮部５と、前記切断圧縮部５の他側に配置されるように前記上・下型部１１、１２に備えられて移動される素材２０を圧縮して成形する圧縮成形部６と、
前記圧縮成形部６の他側に配置されるように前記上・下型部１１、１２に備えられて成形された素材２０を分離して抽出させる抽出部７と、を含む
ことを特徴とする異種の素材の鍛造成形装置。
【請求項９】
前記プレス１は、
前記トレイ板９を昇降可能に前記下型部１２の上面から離隔されるように供給する昇降ガイド部１３を更に含む
請求項８に記載の異種の素材の鍛造成形装置。
【請求項１０】
前記昇降ガイド部１３は、
前記下型部１２の前後方に左右間隔を置いて多数に形成され、下部のバネＳを通じて昇降が可能に上昇された位置を維持し、それぞれが前記トレイ板９の前方端部または後方端部に密着される多数の昇降ガイドロール１３１を含む
請求項９に記載の異種の素材の鍛造成形装置。
【請求項１１】
前記素材貫通固定部９１は、
中央孔９１１と、
前記中央孔９１１の前後方に素材２０が貫通して固定されるように形成される１つ以上の貫通固定孔９１２を含む
請求項８に記載の異種の素材の鍛造成形装置。
【請求項１２】
前記中央孔９１１の前後方には、左右方向に長く形成され、トレイの変形を防止する変形防止孔９１３が更に形成される
請求項１１に記載の異種の素材の鍛造成形装置。
【請求項１３】
前記切断圧縮部５は、
前記上型部１１の下降を通じて素材２０を切断する素材切断部と、
前記素材切断部の他側に備えられ、素材２０の前後方を圧縮して前記素材貫通固定部９１の前後方に形成された貫通固定孔９１２に素材２０を貫通させて固定する素材圧縮固定部と、を含む
請求項１１に記載の異種の素材の鍛造成形装置。
【請求項１４】
前記圧縮成形部６は、
一側に備えられ、圧縮を通じて素材２０の前後方と上部を成形する１つ以上の第１の圧縮成形部６１と、
前記第１の圧縮成形部６１の他側に備えられ、前記トレイ板９の素材貫通固定部９１の間を連結する連結板Ｐを切断して排出する連結板切断部６２と、
前記連結板切断部６２の他側に備えられ、前記素材２０の両側を圧縮して成形する１つ以上の第２の圧縮成形部６３と、を含む
請求項１１に記載の異種の素材の鍛造成形装置。
【請求項１５】
前記圧縮成形部６は、
圧縮成形部６の他側に備えられ、素材２０を最終的に圧縮して成形した後、バネの弾発力を通じて成形された前記素材２０をリフトアップし、下型部１２から素材を上部に脱型させる素材成形脱型部６４を更に含む
請求項１１に記載の異種の素材の鍛造成形装置。
【請求項１６】
前記素材成形脱型部６４は、
一側に備えられ、素材の前後方を成形しながら素材２０を離脱させて抽出する第１の素材脱型部６５と、
前記第１の素材脱型部６５の他側に備えられ、素材２０の両側を成形しながら素材２０を離脱させて抽出する第２の素材脱型部６６と、を含む
請求項１５に記載の異種の素材の鍛造成形装置。
【請求項１７】
前記第１の素材脱型部６５は、
前記上型部１１に備えられる素材プレス金型Ｍと、
前記素材プレス金型Ｍの下部である前記下型部１２に前後方の傾斜面６５１ａを通じて上部の前後方の幅が広くて下部の前後方の幅が狭く陷沒して形成される金型挿入溝６５１と、
それぞれの前方と後方には前記前後方の傾斜面６５１ａに密着される密着傾斜面６５２ａが形成され、互いに対向する面には成形面が形成された前後方の２つの昇降金型６５２と、
前後方の２つの昇降金型６５２の間に備えられる中央金型６５３と、
前記金型挿入溝６５１の下部にそれぞれ垂直に貫通されるように形成され、前記前後方の２つの昇降金型６５２と中央金型６５３の下部をプレスする多数の昇降ピン６５４と、
前記昇降ピン６５４の下部に密着されるように備えられ、下部に配置される１つ以上のバネＳを通じて前記昇降ピン６５４を常に上部にプレスする昇降板６５５と、を含む
請求項１６に記載の異種の素材の鍛造成形装置。
【請求項１８】
前記第２の素材脱型部６６は、
前記上型部１１に備えられる素材プレス金型Ｍと、
前記素材プレス金型Ｍの下部である前記下型部１２に両側の傾斜面６６１ａを通じて上部の両側の幅が広くて下部の両側の幅が狭く陷沒して形成される成形金型挿入溝６６１と、
前記成形金型挿入溝６６１の両側に挿入され、それぞれの外側には前記前後方の傾斜面６６１ａに密着される密着傾斜面６６２ａが形成され、互いに対向する面には成形面が形成された両側昇降金型６６２と、
前記両側昇降金型６６２の間に備えられる中央金型６６３と、
前記成形金型挿入溝６６１の下部にそれぞれ垂直に貫通されるように備えられ、前記両側昇降金型６６２と中央金型６６３の下部をプレスする多数の昇降ピン６６４と、
前記昇降ピン６６４の下部に密着されるように備えられ、下部に配置される１つ以上のバネＳを通じて前記昇降ピン６６４を常に上部にプレスする昇降板６６５と、を含む
請求項１６に記載の異種の素材の鍛造成形装置。
【請求項１９】
前記抽出部７は、
前記上型部１１の下降を圧縮成形が完了された素材２０の周りを臨時的に一部切断する周りの一部切断部７１と、
前記周りの一部切断部７１の他側に備えられ、前記上型部１１の下降を通じて完成された素材２０を分離して切断し、下部に排出させる抽出排出部７２と、を含む
請求項８に記載の異種の素材の鍛造成形装置。
【請求項２０】
前記周りの一部切断部７１は、
前記下型部１２に挿入して備えられ、内部に素材２０が挿入される成形部が形成される下部金型Ｄ１と、
前記成形部の内部に昇降されるように備えられる排出金型Ｄ２と、
前記排出金型Ｄ２の下部である前記下型部１２に貫通して備えられ、前記排出金型Ｄ２の下端を上部にプレスする昇降ピンＤ３と、
前記昇降ピンＤ３の下部に密着されるように、前記下型部１２の内部に昇降可能に備えられ、下部に配置される１つ以上のバネＳを通じて前記昇降ピンＤ３を常に上部にプレスする昇降板Ｄ４と、を含み、
前記昇降板Ｄ４の下部をモーター８３３の駆動を通じて打撃し、前記成形部に挿入された素材２０を上部に離脱させる昇降板打撃手段８を更に含む
請求項１９に記載の異種の素材の鍛造成形装置。
【請求項２１】
前記第１の圧縮成形部６１や第２の圧縮成形部６３は、
前記下型部１２に挿入して備えられ、内部に素材２０が挿入される成形部が形成される下部金型Ｄ１と、
前記成形部の内部に昇降されるように備えられる排出金型Ｄ２と、
前記排出金型Ｄ２の下部である前記下型部１２に貫通して備えられ、前記排出金型Ｄ２の下端を上部にプレスする昇降ピンＤ３と、
前記昇降ピンＤ３の下部に密着されるように、前記下型部１２の内部に昇降可能に備えられ、下部に配置される１つ以上のバネＳを通じて前記昇降ピンＤ３を常に上部にプレスする昇降板Ｄ４と、を含み、
前記昇降板Ｄ４の下部をモーター８３３の駆動を通じて打撃し、前記成形部に挿入された素材２０を上部に離脱させる昇降板打撃手段８を更に含む
請求項１４に記載の異種の素材の鍛造成形装置。
【請求項２２】
前記昇降板打撃手段８は、
前記バネＳの下部の中央から下部に貫通して装着され、上部が前記バネに貫通され、下部が前記下型部１２の下部に突き出された打撃昇降ピン８１と、
前記打撃昇降ピン８１の下部に水平に密着されるように備えられ、周りのガイド軸を通じて昇降されるように備えられる打撃板８２と、
前記打撃昇降ピン８１に弾設され、前記下型部１２の下面と打撃板８２の上部との間に配置されるバネＳと、
前記打撃板８２の下面をモーター８３３の駆動を通じて打撃する打撃部８３と、を含む
請求項２０または２１に記載の異種の素材の鍛造成形装置。
【請求項２３】
前記打撃部８３は、
中央がヒンジ軸８３１ａを通じてプレス１に固定され、ヒンジ軸８３１ａを中心にして回転されるように備えられ、１つの端部は前記打撃板８２の下部に密着され、他の１つの端部には回転ロール８３１ｂが備えられた作動リンク８３１と、
モーター８３３の回転軸に連結されて回転され、周りには前記回転ロール８３１ｂが密着され、回転を通じて前記作動リンク８３１の角度を変更させて前記打撃板８２を打撃させる回転カム板８３２と、を含む
請求項２２に記載の異種の素材の鍛造成形装置。
【請求項２４】
前記素材２０は金属で構成され、
前記トレイ板９は素材２０より展延性が少ない金属で構成される
請求項８に記載の異種の素材の鍛造成形装置。
【請求項２５】
前記素材２０はアルミニウムまたは銅で構成され、
前記トレイ板９は鉄やステンレスで構成される
請求項２４に記載の異種の素材の鍛造成形装置。
【発明の詳細な説明】
【技術分野】
【０００１】
本発明は、異種の素材の鍛造成形方法及び鍛造成形装置に関し、より詳しくは、下型部の上部から移動されるトレイ板に異種の素材を投入して固定することで異種の素材を順次に圧縮して成形可能にし、素材板を供給するだけで素材を連続して投入することで製品の生産性を向上させることができる異種の素材の鍛造成形方法及び鍛造成形装置に関する。
【背景技術】
【０００２】
本発明は、異種の素材の鍛造成形方法及び鍛造成形装置に関し、より詳しくは、下型部の上部から移動されるトレイ板に異種の素材を投入して固定することで異種の素材を順次に圧縮して成形可能にし、素材板を供給するだけで素材を連続して投入することで製品の生産性を向上させることができる異種の素材の鍛造成形方法及び鍛造成形装置に関する。
【発明の概要】
【発明が解決しようとする課題】
【０００３】
ここで、本発明は、上記のような従来の諸般の問題を解消するために案出されたものであって、本発明の目的は、下型部の上部に投入されるトレイ板に素材貫通固定部を連続的に形成して、それぞれの素材貫通固定部に展延性の優れた異種の素材を投入して固定することで、異種の素材を順次に圧縮して成形可能にし、素材板を供給するだけで素材を連続して投入可能にする異種の素材の鍛造成形方法及び鍛造成形装置を提供することにある。
【０００４】
本発明の他の目的は、トレイ板に形成された素材貫通固定部の貫通固定孔に異種の素材の前後方が貫通されるように固定することで、異種の素材を更に堅固にトレイ板に固定できるようにし、高価の異種の素材の固定嵩を最小化して素材の利用を極大化することで素材を圧縮して成形する際に原価の節減を可能にする異種の素材の鍛造成形方法及び鍛造成形装置を提供することにある。
【０００５】
尚、本発明の他の目的は、トレイ板の素材貫通固定部の前後方に左右に長い変形防止孔を更に形成することで、素材を圧縮して成形する際にトレイ板の前後方の端部の変形を最小に減らすことで、素材の圧縮成形の精密度を更に向上可能にする異種の素材の鍛造成形方法及び鍛造成形装置を提供することにある。
【０００６】
本発明の他の目的は、素材の前後方と上下部は勿論、両側も共に成形可能にし、素材の角部にラウンドも与える異種の素材の鍛造成形装置を提供することにある。
【０００７】
更に、本発明の他の目的は、トレイ板を下型部の上面から離隔されるように供給することで、素材を成形する際に素材の上部の脱型を円滑にする異種の素材の鍛造成形装置を提供することにある。
【０００８】
本発明の他の目的は、完成された素材を抽出する際に素材の周りを切断して分離抽出することで、切削加工等の後工程が不要になる異種の素材の鍛造成形装置を提供することにある。
【０００９】
尚、本発明の他の目的は、圧縮して成形される素材を下型部から更に円滑に上部に脱型させることができる異種の素材の鍛造成形装置を提供することにある。
【課題を解決するための手段】
【００１０】
上記のような目的を達成するために、本発明に係る「異種の素材の鍛造成形方法」は、一側から他側に穿孔成形部、切断圧縮部、圧縮成形部、抽出部が順次に備えられる上・下型部を含むプレスを設け、前記上型部を繰り返して昇降させるステップと、前記上型部が上昇される度に前記下型部の上部に、一側から他側に１ピッチずつトレイ板を供給させ、前記穿孔成形部を通じてトレイ板に素材貫通固定部を連続して成形する素材貫通固定部を成形するステップと、前記上型部が上昇される度に前方から前記素材貫通固定部の上部に素材板を投入させ、前記切断圧縮部を通じて素材板を繰り返して切断し、それぞれの前記素材貫通固定部の上部に切断された素材を連続して投入し、投入された素材を圧縮して前記素材を素材貫通固定部に固定する素材を投入して固定するステップと、前記トレイ板に固定されて移動される素材を前記圧縮成形部を通じて圧縮して成形する素材を成形するステップと、前記トレイ板に固定され、成形が完了された素材を前記抽出部を通じて切断して分離し、下部に抽出する素材を抽出するステップと、を含むことを特徴とする。
【００１１】
また、本発明に係る「異種の素材の鍛造成形方法」の前記素材貫通固定部は、中央孔と、前記中央孔の前後方に素材が貫通して固定されるように形成される１つ以上の貫通固定孔と、を含むことを特徴とする。
【００１２】
尚、本発明に係る「異種の素材の鍛造成形方法」の前記中央孔の前後方には、左右方向に長く形成されてトレイの変形を防止する変形防止孔が更に形成されることを特徴とする。
【００１３】
本発明に係る「異種の素材の鍛造成形方法」の前記素材を投入して固定するステップは、他側に移動されて停止された素材貫通固定部の上部に素材板の後方が位置された状態で、前記上型部の下降を通じて素材の後方が切断され、前記中央孔の上部の周りに切断された素材を安着させる過程と、素材を安着させる過程を進行した後に素材を他側に１ピッチ移動させた後、前記上型部の下降を通じて素材の前後方を圧縮させ、素材の前後方を前記貫通固定孔に貫通して固定させる過程と、を含むことを特徴とする。
【００１４】
更に、本発明に係る「異種の素材の鍛造成形方法」の前記素材を成形するステップは、前記素材の前後方と上下部を圧縮して成形する過程と、前記素材の前後方と上下部を圧縮して成形した後、前記トレイ板の素材貫通固定部の間を連結する連結板を切断して排出する過程と、前後方と上下部が圧縮して成形された素材の両側部を圧縮して成形する過程と、を含むことを特徴とする。
【００１５】
本発明に係る「異種の素材の鍛造成形方法」の前記素材は金属で構成され、前記トレイ板は素材より展延性が少ない金属で構成されることを特徴とする。
【００１６】
本発明に係る「異種の素材の鍛造成形方法」の前記素材はアルミニウムまたは銅で構成され、前記トレイ板は鉄やステンレスで構成されることを特徴とする。
【００１７】
本発明に係る「異種の素材の鍛造成形装置」は、前記下型部の上部に１ピッチずつトレイ板を一側から他側に供給するトレイ板供給手段と、前記上・下型部の一側（左側）に備えられ、前記トレイ板に素材貫通固定部を連続して成形する穿孔成形部と、前記プレスの前方に備えられ、前記素材貫通固定部の上部に素材板を１ピッチずつ供給する素材板供給手段と、前記穿孔成形部の他側に配置されるように前記上・下型部に備えられ、前記素材貫通固定部の上部に投入される素材板を繰り返して切断し、切断された素材を素材貫通固定部に圧縮して固定させる切断圧縮部と、前記切断圧縮部の他側に配置されるように前記上・下型部に備えられて移動される素材を圧縮して成形する圧縮成形部と、前記圧縮成形部の他側に配置されるように前記上・下型部に備えられて成形された素材を分離して抽出させる抽出部と、を含むことを特徴とする。
【００１８】
本発明に係る「異種の素材の鍛造成形装置」の前記プレスは、前記トレイ板を昇降可能に前記下型部の上面から離隔されるように供給する昇降ガイド部を更に含むことを特徴とする。
【００１９】
本発明に係る「異種の素材の鍛造成形装置」の前記昇降ガイド部は、前記下型部の前後方に左右間隔を置いて多数に形成され、下部のバネを通じて昇降が可能に上昇された位置を維持し、それぞれが前記トレイ板の前方端部または後方端部に密着される多数の昇降ガイドロールを含むことを特徴とする。
【００２０】
本発明に係る「異種の素材の鍛造成形装置」の前記素材貫通固定部は、中央孔と、前記中央孔の前後方に素材が貫通して固定されるように形成される１つ以上の貫通固定孔と、を含むことを特徴とする。
【００２１】
本発明に係る「異種の素材の鍛造成形装置」の前記中央孔の前後方には、左右方向に長く形成され、トレイの変形を防止する変形防止孔が更に形成されることを特徴とする。
【００２２】
本発明に係る「異種の素材の鍛造成形装置」の前記切断圧縮部は、前記上型部の下降を通じて素材を切断する素材切断部と、前記素材切断部の他側に備えられ、素材の前後方を圧縮して前記素材貫通固定部の前後方に形成された貫通固定孔に素材を貫通させて固定する素材圧縮固定部と、を含むことを特徴とする。
【００２３】
尚、本発明に係る「異種の素材の鍛造成形装置」の前記圧縮成形部は、一側に備えられ、圧縮を通じて素材の前後方と上部を成形する１つ以上の第１の圧縮成形部と、前記第１の圧縮成形部の他側に備えられ、前記トレイ板の素材貫通固定部の間を連結する連結板を切断して排出する連結板切断部と、前記連結板切断部の他側に備えられ、前記素材の両側を圧縮して成形する１つ以上の第２の圧縮成形部と、を含むことを特徴とする。
【００２４】
本発明に係る「異種の素材の鍛造成形装置」の前記圧縮成形部は、圧縮成形部の他側に備えられ、素材を最終的に圧縮して成形した後、バネの弾発力を通じて成形された前記素材をリフトアップし、下型部から素材を上部に脱型させる素材成形脱型部を更に含むことを特徴とする。
【００２５】
本発明に係る「異種の素材の鍛造成形装置」の前記素材成形脱型部は、一側に備えられ、素材の前後方を成形しながら素材を離脱させて抽出する第１の素材脱型部と、前記第１の素材脱型部の他側に備えられ、素材の両側を成形しながら素材を離脱させて抽出する第２の素材脱型部と、を含むことを特徴とする。
【００２６】
本発明に係る「異種の素材の鍛造成形装置」の前記第１の素材脱型部は、前記上型部に備えられる素材プレス金型と、前記下型部に前後方の傾斜面を通じて上部の前後方の幅が広くて下部の前後方の幅が狭く陷沒して形成される金型挿入溝と、前記成形金型挿入溝の前後方に挿入され、それぞれの前方と後方には前記前後方の傾斜面に密着される密着傾斜面が形成され、互いに対向する面には成形面が形成された前後方の２つの昇降金型と、前後方の２つの昇降金型の間に備えられる中央金型と、前記金型挿入溝の下部にそれぞれ垂直に貫通されるように形成され、前記前後方の２つの昇降金型と中央金型の下部をプレスする多数の昇降ピンと、前記昇降ピンの下部に密着されるように備えられ、下部に配置される１つ以上のバネを通じて前記昇降ピンを常に上部にプレスする昇降板と、を含むことを特徴とする。
【００２７】
更に、本発明に係る「異種の素材の鍛造成形装置」の前記第２の素材脱型部は、前記上型部に備えられる素材プレス金型と、前記下型部に両側の傾斜面を通じて上部の両側の幅が広くて下部の両側の幅が狭く陷沒して形成される成形金型挿入溝と、前記成形金型挿入溝の両側に挿入され、それぞれの外側には前記前後方の傾斜面に密着される密着傾斜面が形成され、互いに対向する面には成形面が形成された両側昇降金型と、前記両側昇降金型の間に備えられる中央金型と、前記成形金型挿入溝の下部にそれぞれ垂直に貫通されるように備えられ、前記両側昇降金型と中央金型の下部をプレスする多数の昇降ピンと、前記昇降ピンの下部に密着されるように備えられ、下部に配置される１つ以上のバネを通じて前記昇降ピンを常に上部にプレスする昇降板と、を含むことを特徴とする。
【００２８】
本発明に係る「異種の素材の鍛造成形装置」の前記抽出部は、前記上型部の下降を圧縮成形が完了された素材の周りを臨時的に一部切断する周りの一部切断部と、前記周りの一部切断部の他側に備えられ、前記上型部の下降を通じて完成された素材を分離して切断し、下部に排出させる抽出排出部と、を含むことを特徴とする。
【００２９】
本発明に係る「異種の素材の鍛造成形装置」の前記周りの一部切断部は、前記下型部に挿入して備えられ、内部に素材が挿入される成形部が形成される下部金型と、前記成形部の内部に昇降されるように備えられる排出金型と、前記排出金型の下部に貫通して備えられ、前記排出金型の下端を上部にプレスする昇降ピンと、前記昇降ピンの下部に密着されるように備えられ、下部に配置される１つ以上のバネを通じて前記昇降ピンを常に上部にプレスする昇降板と、を含み、前記昇降板の下部をモーターの駆動を通じて打撃し、前記成形部に挿入された素材を上部に離脱させる昇降板打撃手段を更に含むことを特徴とする。
【００３０】
また、本発明に係る「異種の素材の鍛造成形装置」の前記第１の圧縮成形部や第２の圧縮成形部は、前記下型部に挿入して備えられ、内部に素材が挿入される成形部が形成される下部金型と、前記成形部の内部に昇降されるように備えられる排出金型と、前記排出金型の下部に貫通して備えられ、前記排出金型の下端を上部にプレスする昇降ピンと、前記昇降ピンの下部に密着されるように備えられ、下部に配置される１つ以上のバネを通じて前記昇降ピンを常に上部にプレスする昇降板と、を含み、前記昇降板の下部をモーターの駆動を通じて打撃し、前記成形部に挿入された素材を上部に離脱させる昇降板打撃手段を更に含むことを特徴とする。
【００３１】
本発明に係る「異種の素材の鍛造成形装置」の前記昇降板打撃手段は、前記バネの下部の中央から下部に貫通され、下型部の下部に突き出された打撃昇降ピンと、前記打撃昇降ピンの下部に水平に密着されるように備えられ、周りのガイド軸を通じて昇降されるように備えられる打撃板と、前記打撃昇降ピンに弾設され、前記下型部の下面と打撃板の上部との間に配置されるバネと、前記打撃板の下面をモーターの駆動を通じて打撃する打撃部と、を含むことを特徴とする。
【００３２】
本発明に係る「異種の素材の鍛造成形装置」の前記打撃部は、中央がヒンジ軸を通じてプレスに固定され、ヒンジ軸を中心にして回転されるように備えられ、１つの端部は前記打撃板の下部に密着され、他の１つの端部には回転ロールが備えられた作動リンクと、モーターの回転軸に連結されて回転され、周りには前記回転ロールが密着され、回転を通じて前記作動リンクの角度を変更させて前記打撃板を打撃させる回転カム板と、を含むことを特徴とする。
【００３３】
本発明に係る「異種の素材の鍛造成形装置」の前記素材は金属で構成され、前記トレイ板は素材より展延性が少ない金属で構成されることを特徴とする。
【００３４】
本発明に係る「異種の素材の鍛造成形装置」の前記素材はアルミニウムまたは銅で構成され、前記トレイ板は鉄やステンレスで構成されることを特徴とする。
【発明の効果】
【００３５】
前述した本発明は、下型部の上部から移動されるトレイ板に異種の素材を投入して固定することで異種の素材を順次に圧縮して成形できる効果を有し、素材板を供給するだけで素材を連続して投入し、製品の生産性を向上させる効果も有する。
【００３６】
尚、本発明は、トレイ板に形成された素材貫通固定部の貫通固定孔に異種の素材の前後方が貫通されるように固定して、異種の素材を更に堅固にトレイ板に固定することで、素材を圧縮して成形する際に素材がトレイ板から離脱されるような不良を予防する効果も有する。更に、高価の異種の素材の固定嵩を最小化して素材の利用を極大化することで、素材を圧縮して成形する際に原価を節減することで圧縮成型品の製造コストを低める効果も有する。
【００３７】
また、本発明は、トレイ板の素材貫通固定部の前後方に、左右に長い変形防止孔を更に形成することで、素材を圧縮して成形する際にトレイ板の前後方端部の変形を最小に減らすことで、素材の圧縮成形の精密度を更に向上させる効果も有する。
【００３８】
本発明は、素材の前後方と上下部は勿論、両側も共に成形可能にし、素材の角部にラウンドも与えることで、製品のデザインを多様化することができる効果も有する。
【００３９】
更に、本発明は、トレイ板を下型部の上面から離隔されるように供給することで、素材を圧縮して成形する際に素材の上部脱型を円滑にすることで、成形作業を進行する過程で装置の停止を最小に減らす効果も有する。
【００４０】
本発明は、完成された素材を抽出する際に、素材の周りを切断して分離抽出することで、切削加工等の後工程が不要になり、後工程の進行によるコストを節減する効果も有する。
【００４１】
本発明は、圧縮して成形された素材を下型部から更に円滑に上部に脱型させることで、成形作業を進行する過程で装置の停止を最小に減らす効果も有する。
【図面の簡単な説明】
【００４２】
【図１】本発明に係る鍛造成形装置を示す概略斜視図
【図２ａ】本発明に係る要部を示し、下型部の上部を示す概略図
【図２ｂ】本発明に係る要部を示し、工程を示す概略図
【図３】本発明に係る鍛造成形方法を示す工程図
【図４ａ】本発明に係る素材貫通固定部を成形するステップ２００を示す概略斜視図
【図４ｂ】図４ａのＡ−Ａ線の断面図
【図５】本発明に係る素材を投入して固定するステップ３００を示す概略斜視図
【図６】本発明に係る素材を成形するステップ４００を示す概略斜視図
【図７ａ】図６のＢ−Ｂ線の断面であり、圧縮成形状態をを示す説明図
【図７ｂ】図６のＢ−Ｂ線の断面であり、素材の脱型状態を示す説明図
【図８ａ】図６のＣ−Ｃ線の断面であり、圧縮成形状態を示す説明図
【図８ｂ】図６のＣ−Ｃ線の断面であり、素材の脱型状態を示す説明図
【図９ａ】本発明に係る昇降板打撃手段を示し、圧縮成形状態を示す説明図
【図９ｂ】本発明に係る昇降板打撃手段を示し、素材の脱型状態を示す示す説明図
【発明を実施するための形態】
【００４３】
以下、本発明の好適な実試例が示されている添付の図面を参照しながら、より詳しく説明すると次のようである。しかし、本発明は、多数の異なる形態に具現されることができ、記述された実試例に制限されない。
【００４４】
図１は、本発明に係る鍛造成形装置を示す概略斜視図であり、図２は、本発明に係る要部を示す図であり、図２ａは下型部の上部を示し、図２ｂは工程を示す概略図である。尚、図３は、本発明に係る鍛造成形方法を示す工程図であり、図４は、本発明に係る素材貫通固定部を成形するステップ２００を示す図であり、図４ａは概略斜視図であり、図４ｂは図４ａのＡ−Ａ線の断面図であり、図５は、本発明に係る素材を投入して固定するステップ３００を示す概略斜視図であり、図６は、本発明に係る素材を成形するステップ４００を示す概略斜視図である。尚、図７は、図６のＢ−Ｂ線の断面図であり、図７ａは圧縮成形状態を示し、図７ｂは素材の脱型状態を示す。図８は図６のＣ−Ｃ線の断面図であり、図８ａは圧縮成形状態を示し、図８ｂは素材の脱型状態を示す。尚、図９は、本発明に係る昇降板打撃手段を示す図であり、図９ａは圧縮成形状態を示し、図９ｂは素材の脱型状態を示す。
【００４５】
これらの図面に示されているように、本発明に係る異種の素材の鍛造成形装置は、上・下型部１１、１２を有するプレス１を含み、前記下型部１２の上部に１ピッチずつトレイ板９を一側（以下、添付された図面上の左側を「一側」と称し、反対側である右側を「他側」と称する。）から他側に供給するトレイ板供給手段２を含む。
【００４６】
尚、本発明に係る異種の素材の鍛造成形装置は、前記上・下型部１１、１２の一側に備えられ、前記トレイ板９に素材貫通固定部９１を連続して成形する穿孔成形部３と、前記プレス１の前方に備えられ、前記素材貫通固定部９１の上部に素材板１０を１ピッチずつ供給する素材板供給手段４と、前記穿孔成形部３の他側に配置されるように前記上・下型部１１、１２に備えられ、前記素材貫通固定部９１の上部に投入される素材板１０を繰り返して切断し、切断された素材２０を素材貫通固定部９１に圧縮して固定させる切断圧縮部５と、前記切断圧縮部５の他側に配置されるように前記上・下型部１１、１２に備えられて移動される素材２０を圧縮して成形する圧縮成形部６と、前記圧縮成形部６の他側に配置されるように前記上・下型部１１、１２に備えられて成形された素材２０を分離して抽出させる抽出部７と、を含む。
【００４７】
尚、本発明を構成する前記プレス１は、上・下型部１１、１２を有するものであって、前記上型部１１は下型部１２の上部から昇降される作動をするところ、上型部１１が昇降作動をする構成は既に公知されているので、その具体的な説明は省略する。更に、前記プレス１は、前記トレイ板９を昇降可能に前記下型部１２の上面から離隔されるように供給する昇降ガイド部１３を更に含む。
【００４８】
前記昇降ガイド部１３は、前記下型部１２の前後方に左右間隔を置いて多数に形成され、下部のバネＳを通じて昇降が可能に上昇された位置を維持し、それぞれが前記トレイ板９の前方端部または後方端部に密着される多数の昇降ガイドロール１３１を含むものである。すなわち、前記トレイ板９は、上型部１１が下降される場合、下部に移動されて前記下型部１２の上面に密着される。
【００４９】
よって、本発明は、前記昇降ガイドロール１３１で構成される昇降ガイド部１３を通じて、前記トレイ板９を下型部１２の上面から離隔されるように供給することで、素材２０を圧縮して成形する際に素材２０の上部の脱型を円滑にするので、素材２０を圧縮して成形する際に装置の停止を最小に減らす利点を有する。
【００５０】
本発明を構成する前記トレイ板供給手段２は、前記プレス１の一側に離隔されるように備えられるので、ローラーに巻取されているトレイ板９を前記プレス１の下型部１２の上部に供給する役割をする。尚、このような役割をするトレイ板供給手段２は、上下の２つの連動ローラーの駆動を通じて前記下型部１２の上部に１ピッチずつトレイ板９を一側から他側に供給するところ、このようなトレイ板供給手段２は既に公知されているので、その具体的な説明は省略する。
【００５１】
なお、本発明を構成する前記穿孔成形部３は、前記上・下型部１１、１２の一側に備えられ、前記トレイ板９に素材貫通固定部９１を連続して成形する役割をする。このような役割をする素材貫通固定部９１は、上型部１１に１ピッチごとに備えられる多数のポンチと、前記下型部１２に備えられ、前記ポンチの貫通されて穿孔された板を下部に排出する多数の成形孔と、を含む。
【００５２】
また、前記穿孔成形部３を通じて成形される前記素材貫通固定部９１は、中央孔９１１と、前記中央孔９１１の前後方に素材２０が貫通して固定されるように形成される１つ以上の貫通固定孔９１２と、を含む。更に、前記中央孔９１１の直四角形や円形等で形成され得るところ、添付された図面には直四角形の孔で形成された状態が示されている。
【００５３】
前記中央孔９１１の前後方には素材２０を圧縮して成形する際にトレイ板９の前後方端部の変形を最小に減らすことができるように、左右方向に長く形成されてトレイの変形を防止する変形防止孔９１３が更に形成され得る。よって、本発明は、トレイ板９の素材貫通固定部９１の前後方に形成される変形防止孔９１３を通じて、素材２０を圧縮して成形する際にトレイ板９の前後方端部の変形を最小に減らすことで、素材２０の圧縮成形の精密度を更に向上させる利点を有する。
【００５４】
尚、本発明を構成する前記素材板供給手段４は、前記プレス１の前方に離隔されるように備えられることで、ローラーに巻取されている前記素材板１０を前記素材貫通固定部９１の上部に供給する役割をする。尚、このような役割をする素材板供給手段４は、上下の２つの連動ローラーの駆動を通じて前記素材貫通固定部９１の上部に１ピッチずつ素材板１０を前方から供給するところ、このような素材板１０の供給手段４は既に公知されているので、その具体的な説明は省略する。
【００５５】
本発明を構成する前記切断圧縮部５は、前記素材貫通固定部９１の上部に投入される素材板１０を繰り返して切断し、切断された素材２０を素材貫通固定部９１に圧縮して固定させる役割をする。
【００５６】
このような役割をする前記切断圧縮部５は、前記上型部１１の下降を通じて素材２０を切断する素材切断部と、前記素材切断部の他側に備えられ、素材２０の前後方を圧縮して前記素材貫通固定部９１の前後方に形成された貫通固定孔９１２に素材２０を貫通させて固定する素材圧縮固定部と、で構成されるのが好適である。尚、前記素材切断部は、上型部１１に装着され、上型部１１の昇降を通じて素材板１０の後方を切断する垂直カッターＣを含む。
【００５７】
尚、前記素材２０は金属で構成され、前記トレイ板９は素材２０より展延性が少ない金属で構成されるのが好適である。さらに、前記素材２０はアルミニウムまたは銅で構成されることができ、前記トレイ板９は鉄やステンレスで構成され得る。
【００５８】
よって、本発明は、前記素材圧縮固定部を通じて、トレイ板９に形成された素材貫通固定部９１の貫通固定孔９１２に異種の素材２０の前後方が貫通されるように固定し、異種の素材２０を更に堅固にトレイ板９に固定することができる。よって、本発明は、素材２０を圧縮して成形する際に素材２０がトレイ板９から離脱されるような不良を予防できる利点も有する。尚、本発明は、上記のように異種の素材２０の前後方のみをトレイ板９に固定することで、高価の異種の素材２０の固定嵩を最小化して素材２０の利用を極大化することで、素材２０を圧縮して成形する際に原価を節減する利点も有する。
【００５９】
本発明を構成する前記圧縮成形部６は、前記上・下型部１１、１２に備えられて移動される素材２０を圧縮して成形する役割をする。尚、このような役割をする前記圧縮成形部６は、一側に備えられ、圧縮を通じて素材２０の前後方と上部を成形する１つ以上の第１の圧縮成形部６１と、前記第１の圧縮成形部６１の他側に備えられ、前記トレイ板９の素材貫通固定部９１の間を連結する連結板Ｐを切断して排出する連結板切断部６２と、前記連結板切断部６２の他側に備えられ、前記素材２０の両側を圧縮して成形する１つ以上の第２の圧縮成形部６３と、を含む。
【００６０】
尚、それぞれの前記第１の圧縮成形部６１及び第２の圧縮成形部６２は、上・下型部１１、１２に形成される上下成形金型を含む。更に、前記連結板切断部６２は、上型部１１に備えられるカッター部（未図示）を含む。よって、本発明は、前記第１の圧縮成形部６１及び第２の圧縮成形部６３を通じて、素材２０の前後方と上下部は勿論、両側も共に成形できるようにし、素材２０の角部にラウンドも与えることで、製品のデザインを多様化し得る利点も有する。
【００６１】
また、前記圧縮成形部６の他側には、素材２０を最終的に成形し、成形された素材２０を抽出させる素材成形脱型部６４が更に備えられることもできる。尚、前記素材成形脱型部６４は、一側に備えられ、素材２０の前後方を成形しながら素材２０を離脱させて抽出する第１の素材脱型部６５と、第１の素材脱型部６５の他側に備えられ、素材２０の両側を成形しながら素材２０を離脱させて抽出する第２の素材脱型部６６と、を含む。
【００６２】
前記第１の素材脱型部６５は、圧縮して成形された素材２０を下型部１２から一層円滑に上部に脱型させることができるように、前記上型部１１に備えられる素材プレス金型Ｍと、前記素材プレス金型Ｍの下部である前記下型部１２に前後方の傾斜面６５１ａを通じて上部の前後方の幅が広くて下部の前後方の幅が狭く陷沒して形成される金型挿入溝６５１と、前記成形金型挿入溝６５１の前後方に挿入され、それぞれの前方と後方には前記前後方の傾斜面６５１ａに密着される密着傾斜面６５２ａが形成され、互いに対向する面には成形面が形成された前後方の２つの昇降金型６５２と、前後方の２つの昇降金型６５２の間に備えられる中央金型６５３と、前記成形金型挿入溝６５１の下部にそれぞれ垂直に貫通されるように形成され、前記前後方昇降金型６５２と中央金型６５３の下部をプレスする多数の昇降ピン６５４と、前記昇降ピン６５４の下部に密着されるように備えられ、下部に配置される１つ以上のバネＳを通じて前記昇降ピン６５４を常に上部にプレスする昇降板６５５と、で構成されるのが好適である。
【００６３】
よって、前記第１の素材脱型部６５を通じて順次に下型部１２の上部に位置される素材２０を圧縮して成形する場合には、先ず、プレス１の前記上型部１１を下降させることによって素材プレス金型２１を下降させることで、素材の下部に前記一対の昇降金型６５２に挿入される成形物を成形する。次に、上記のように、一対の昇降金型６６２に挿入される成形物を圧縮して成形した後、上型部１１を上昇させて前記素材プレス金型Ｍを上昇させると、前記第１の素材脱型部６５の最も下部に配置されたバネＳが弾発力によって伸張されることで昇降板６５４が上昇される。次に、上記のように上昇される昇降板６５５が２つの昇降金型６５２と中央金型６５３の下部をプレスする多数の昇降ピン６５４を上部にプレスすることで、２つの昇降金型６５２と中央金型６５３が上部に上昇される。尚、この際、前記２つの昇降金型６５２はそれぞれに形成された密着傾斜面６５２ａが金型挿入溝の傾斜面６５１ａに密着されて上昇されることで、２つの昇降金型６５２の間が広くなって上昇される。次に、このように、前記２つの昇降金型６５２の間が広くなると上昇されることで、圧縮して成形された素材の成形物が前記２つの昇降金型６５２２の間から脱型され、素材が下型部１２から上部に移動されることで、素材が下型部１２から円滑に脱型される。
【００６４】
前記第２の素材脱型部６６は、圧縮して成形された素材２０を下型部１２から一層円滑に上部に脱型させることができるように、前記上型部１１に備えられる素材プレス金型Ｍと、前記素材プレス金型Ｍの下部である前記下型部１２に両側の傾斜面６６１ａを通じて上部の両側の幅が広くて下部の両側の幅が狭く陷沒して形成される成形金型挿入溝６６１と、前記成形金型挿入溝６６１の両側に挿入され、それぞれの外側には前記両側の傾斜面６６１ａに密着される密着傾斜面６６２ａが形成され、互いに対向する面には成形面が形成された両側昇降金型６６２と、前記両側昇降金型６６２の間に備えられる中央金型６６３と、前記成形金型挿入溝６６１の下部にそれぞれ垂直に貫通されるように備えられ、前記両側昇降金型６６２と中央金型６６３の下部をプレスする多数の昇降ピン６６４と、前記昇降ピン６６４の下部に密着されるように備えられ、下部に配置される１つ以上のバネＳを通じて前記昇降ピン６６４を常に上部にプレスする昇降板６６５と、で構成されるのが好適である。
【００６５】
よって、前記第２の素材脱型部６６を通じて順次に下型部１２の上部に位置される素材２０を圧縮して成形する場合には、先ず、プレス１の前記上型部１１を下降させることによって素材プレス金型２１を下降させることで、素材の下部に前記一対の昇降金型に挿入される成形物を成形する。次に、上記のように、一対の昇降金型６６２に挿入される成形物を圧縮して成形した後、上型部１１を上昇させて前記素材プレス金型Ｍを上昇させると、前記第１の素材脱型部６６の最も下部に配置されたバネＳが弾発力によって伸張されることで昇降板６６４が上昇される。次に、上記のように上昇される昇降板６６５が２つの昇降金型６６２と中央金型６６３の下部をプレスする多数の昇降ピン６６４を上部にプレスすることで、２つの昇降金型６６２と中央金型６６３が上部に上昇される。尚、この際、前記２つの昇降金型６６２はそれぞれに形成された密着傾斜面６６２ａが金型挿入溝の傾斜面６６１ａに密着されて上昇されることで、２つの昇降金型６６２の間が広くなって上昇される。次に、このように、前記２つの昇降金型６６２の間が広くなると上昇されることで、圧縮して成形された素材の成形物が前記２つの昇降金型６６２の間から脱型され、素材が下型部１２から上部に移動されることで、素材２０が下型部１２に円滑に脱型される。
【００６６】
本発明を構成する前記抽出部７は、前記圧縮成形部６の他側に配置されるように前記上・下型部１１、１２に備えられて成形された素材２０を分離して抽出させる役割をする。尚、このような役割をする前記抽出部７は、前記上型部１１の下降を通じて、圧縮成形が完了された素材２０の周りを臨時的に一部切断する周りの一部切断部７１と、前記周りの一部切断部７１の他側に備えられ、前記上型部１１の下降を通じて完成された素材２０を分離して切断し、下部に排出させる抽出排出部７２と、を含む。
【００６７】
よって、本発明は、完成された素材２０を抽出する際に、素材２０の周りを切断して分離抽出することで、切削加工等の後工程が不要になるので、後工程の進行によるコストの節減ができる利点も有する。
【００６８】
一方、前記第１の圧縮成形部６１や第２の圧縮成形部６３、または前記周りの一部切断部７１は、前記下型部１２に挿入して備えられ、内部に素材２０が挿入される成形部が形成される下部金型Ｄ１と、前記成形部の内部に昇降されるように備えられる排出金型Ｄ２と、前記排出金型Ｄ２の下部である前記下型部１２に貫通して備えられ、前記排出金型Ｄ２の下端を上部にプレスする昇降ピンＤ３と、前記昇降ピンＤ３の下部に密着されるように前記下型部１２の内部に昇降可能に備えられ、下部に配置される１つ以上のバネＳを通じて前記昇降ピンＤ３を常に上部にプレスする昇降板Ｄ４と、を含み、前記昇降板Ｄ４の下部をモーター８３３の駆動を通じて打撃し、前記成形部に挿入された素材２０を上部に離脱させる昇降板打撃手段８を更に含む。
【００６９】
前記昇降板打撃手段８は、前記バネＳの下部の中央から下部に貫通して装着され、上部が前記バネに貫通され、下部が前記下型部１２の下部に突き出された打撃昇降ピン８１と、前記打撃昇降ピン８１の下部に水平に密着されるように備えられ、周りのガイド軸Ｇを通じて昇降されるように備えられる打撃板８２と、前記打撃昇降ピン８１に弾設され、前記下型部１２の下面と打撃板８２の上部との間に配置されるバネＳと、前記打撃板８２の下面をモーター８３３の駆動を通じて打撃する打撃部８３と、で構成されるのが好適である。
【００７０】
尚、前記打撃部８３は、中央がヒンジ軸８３１ａを通じてプレス１に固定されてヒンジ軸８３１ａを中心にして回転されるように備えられ、１つの端部は、前記打撃板８２の下部に密着され、他の１つの端部には回転ロール８３１ｂが備えられた作動リンク８３１と、モーター８３３の回転軸に連結されて回転され、周りには前記回転ロール８３１ｂが密着され、回転を通じて前記作動リンク８３１の角度を変更させて前記打撃板８２を打撃させる回転カム板８３２と、を含む。
【００７１】
よって、本発明は、昇降板打撃手段８を通じて、上記のように、下部金型Ｄ１の成形孔に挿入される素材２０を成形した後には、上型部１１を上昇させて前記素材プレス金型を上昇させながら、前記モーター８３３を駆動させて作動リンク８３１の一端部を瞬間的に上昇させ、前記打撃板８２を打撃する。
【００７２】
そうすると、打撃板８２の上昇と共に、打撃昇降ピン８１が瞬間的に上昇されることによって、前記昇降板Ｄ４と昇降ピンＤ３及び排出金型Ｄ２が瞬間的に上昇されることで、圧縮して成形されて前記下部金型Ｄ１の成形孔に挿入された素材２０が下部金型３の上部に脱型される。
【００７３】
よって、本発明は、前記昇降板打撃手段８を通じて、圧縮して成形された素材２０を下型部１２から一層円滑に上部に脱型させることで、素材２０を圧縮して成形する過程で装置の停止を最小に減らす利点を有する。
【００７４】
以下、上記のように構成された本発明に係る異種の素材の鍛造成形方法を説明すると次のようである。
【００７５】
図１から図９に示すように、本発明に係る異種の素材の鍛造成形方法は、上述した鍛造成形装置を通じて進行され得る。よって、本発明に係る異種の素材の鍛造成形方法は、先ず、一側から他側に穿孔成形部３、切断圧縮部５、圧縮成形部６、抽出部７が順次に備えられる上・下型部１１、１２を含むプレス１を設け、前記上型部を繰り返して昇降させるステップ１００を進行する。
【００７６】
次に、前記上型部１１が上昇される度に、前記下型部１２の上部に、一側から他側に１ピッチずつトレイ板９を供給させ、前記穿孔成形部３を通じてトレイ板９に素材貫通固定部９１を連続して成形する素材貫通固定部を成形するステップ２００を進行する。
【００７７】
尚、前記素材貫通固定部９１は、中央孔９１１と、前記中央孔９１１の前後方に素材２０が貫通して固定されるように形成される１つ以上の貫通固定孔９１２と、を含む。さらに、前記中央孔９１１の直四角形や円形等で形成され得るところ、添付された図面には直四角形の孔で形成された状態が示されている。
【００７８】
前記中央孔９１１の前後方には素材２０を圧縮して成形する際にトレイ板９の前後方端部の変形を最小に減らすように、左右方向に長く形成されてトレイの変形を防止する変形防止孔９１３が更に形成され得る。よって、本発明は、トレイ板９の素材貫通固定部９１の前後方に形成される変形防止孔９１３を通じて、素材２０を圧縮して成形する際にトレイ板９の前後方端部の変形を最小に減らすことで、素材２０の圧縮成形の精密度を更に向上させる利点を有する。
【００７９】
次に、前記上型部１１が上昇される度に、前方から前記素材貫通固定部９１の上部に素材板１０を投入させ、前記切断圧縮部５を通じて素材板１０を繰り返して切断し、それぞれの前記素材貫通固定部９１の上部に切断された素材２０を連続して投入し、投入された素材２０を圧縮して前記素材２０を素材貫通固定部９１に固定する素材を投入して固定するステップ３００を進行する。
【００８０】
尚、前記素材２０は金属で構成され、前記トレイ板９は素材２０より展延性が少ない金属で構成されるのが好適である。更に、前記素材２０はアルミニウムまたは銅で構成されることができ、前記トレイ板９は鉄やステンレスで構成されることができる。
【００８１】
更に、前記素材を投入して固定するステップ３００は、他側に移動されて停止された素材貫通固定部９１の上部に素材板１０の後方が位置された状態で、前記上型部１１の下降を通じて素材２０の後方が切断され、前記中央孔９１１の上部の周りに切断された素材２０を安着させる過程と、素材２０を安着させる過程を進行した後、素材２０を他側に１ピッチ移動させた後、前記上型部１１の下降を通じて素材２０の前後方を圧縮させ、素材２０の前後方を前記素材２０を貫通固定孔９１２に貫通して固定させる過程からなるのが好適である。すなわち、前記素材２０の前後方を前記素材２０を貫通固定孔９１２に貫通して固定させる過程では、素材２０を貫通固定孔９１２の下部から上部に貫通させて固定させるか、または素材２０を貫通固定孔９１２の上部から下部に貫通させて固定させることができるところ、添付された図面には、素材２０を貫通固定孔９１２の下部から上部に貫通させた状態が示されている。よって、前記トレイ板９に形成された素材貫通固定部９１の貫通固定孔９１２に異種の素材２０の前後方が貫通されるように固定し、異種の素材２０を更に堅固にトレイ板９に固定することができる。
【００８２】
次に、前記トレイ板９に固定されて移動される素材２０を前記圧縮成形部６を通じて圧縮して成形する素材を成形するステップ４００を進行する。
【００８３】
前記素材を成形するステップ４００は、素材２０の前後方と上下部は勿論、両側も共に成形できるように、前記素材２０の前後方と上下部を圧縮して成形する過程と、前記素材２０の前後方と上下部を圧縮して成形した後、前記トレイ板９の素材貫通固定部９１の間を連結する連結板Ｐを切断して排出する過程と、前後方と上下部が圧縮して成形された素材２０の両側部を圧縮して成形する過程と、で進行されるのが好適である。よって、本発明は、素材２０の前後方と上下部及び両側を共に成形可能にし、素材２０の角部にラウンドも与えることで、製品のデザインを多様化する利点を有する。
【００８４】
次に、前記トレイ板９に固定されて成形が完了された素材２０を、前記抽出部７を通じて切断して分離させ、下部に抽出する素材を抽出するステップ５００を進行することで、トレイ板９を通じた異種の素材２０の圧縮成形を完了する。よって、本発明は、前記抽出部７を通じて完成された素材２０を抽出する際に、素材２０の周りを切断して分離させ、抽出することで、切削加工等の後工程を不要にし、後工程の進行によるコストを節減することができる。
【００８５】
よって、本発明は、下型部１２の上部から移動されるトレイ板９に異種の素材２０を投入して固定することで異種の素材２０を順次に圧縮して成形することができる有用な発明であり、素材板１０を供給するだけで素材２０を連続して投入し、製品の生産性を更に向上させることができる有用な発明である。
【００８６】
以上、本発明の好適な実試例について説明したが、本発明は、多様な変化と変更及び均等物を使うことができる。本発明は、上記の実試例を適宜変形して同様に応用できることは自明である。よって、上記の記載内容は下記の特許請求の範囲の限界によって定められる発明の範囲を限定するものではない。
【００８７】
一方、本発明の詳細な説明において、具体的な実施例について説明したが、本発明の範囲を超えない限度内で様々な変形が可能であることは、該分野で通常の知識を持った者にとって自明である。
【符号の説明】
【００８８】
１：プレス
１１：上型部
１２：下型部
１３：昇降ガイド部
１３１：昇降ガイドロール
２：トレイ板供給手段
３：穿孔成形部
４：素材板供給手段
５：切断圧縮部
６：圧縮成形部
６１：第１の圧縮成形部
６２：連結板切断部
６３：第２の圧縮成形部
６４：素材成形脱型部
６５：第１の素材脱型部
６５１：金型挿入溝
６５１ａ：傾斜面
６５２：昇降金型
６５２ａ：密着傾斜面
６５３：中央金型
６５４：昇降ピン
６５５：昇降板
６６：第２の素材脱型部
６６１：金型挿入溝
６６１ａ：傾斜面
６６２：昇降金型
６６２ａ：密着傾斜面
６６３：中央金型
６６４：昇降ピン
６６５：昇降板
７：抽出部
７１：周りの一部切断部
７２：抽出排出部
８：昇降板打撃手段
８１：打撃昇降ピン
８２：打撃板
８３：打撃部
８３１：作動リンク
８３１ａ：ヒンジ軸
８３１ｂ：回転ロール
８３２：回転カム板
８３３：モーター
９：トレイ板
９１：素材貫通固定部
９１１：中央孔
９１２：貫通固定孔
９１３：変形防止孔
Ｄ１：下部金型
Ｄ２：排出金型
Ｄ３：昇降ピン
Ｄ４：昇降板
Ｓ：バネ
【図１】
0006340139.tif 000002
【図２ａ】
0006340139.tif 000003
【図２ｂ】
0006340139.tif 000004
【図３】
0006340139.tif 000005
【図４ａ】
0006340139.tif 000006
【図４ｂ】
0006340139.tif 000007
【図５】
0006340139.tif 000008
【図６】
0006340139.tif 000009
【図７ａ】
0006340139.tif 000010
【図７ｂ】
0006340139.tif 000011
【図８ａ】
0006340139.tif 000012
【図８ｂ】
0006340139.tif 000013
【図９ａ】
0006340139.tif 000014
【図９ｂ】
0006340139.tif 000015